【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
１つ以上の特定のＦＡＸ番号に係る受信ＦＡＸデータを印刷出力しないよう前記１つ以上の特定のＦＡＸ番号を設定可能な第１の設定と、アドレス帳に存在しないＦＡＸ番号に係る受信ＦＡＸデータを印刷出力しないよう設定可能な第２の設定とを行なうユーザインタフェースと、
前記第１及び第２の設定に従って、受信ＦＡＸデータの印刷出力を制御する制御手段と、
を備え、
前記制御手段は、
前記アドレス帳に存在しないＦＡＸ番号に係る受信ＦＡＸデータを印刷出力しない設定が前記第２の設定でされている場合において、受信ＦＡＸデータの送信元のＦＡＸ番号が、前記アドレス帳に存在しないＦＡＸ番号と前記第１の設定によって印刷出力しないよう設定された前記１つ以上の特定のＦＡＸ番号とのうちの少なくともいずれかに該当するときは、当該受信ＦＡＸデータの印刷出力を実行しないように制御し、
前記アドレス帳に存在しないＦＡＸ番号に係る受信ＦＡＸデータを印刷出力しない設定が前記第２の設定でされている場合において、受信ＦＡＸデータの送信元のＦＡＸ番号が、前記アドレス帳に存在しないＦＡＸ番号と前記第１の設定によって印刷出力しないよう設定された前記１つ以上の特定のＦＡＸ番号とのうちのいずれにも該当しないときは、当該受信ＦＡＸデータの印刷出力を実行するように制御し、
前記アドレス帳に存在しないＦＡＸ番号に係る受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれかに該当するときは、当該受信ＦＡＸデータの印刷出力を実行しないように制御し、
前記アドレス帳に存在しないＦＡＸ番号に係る受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれにも該当しないときは、当該受信ＦＡＸデータの印刷出力を実行するように制御する
ことを特徴とするＦＡＸ機能を備えた装置。
【請求項２】
前記ユーザインタフェースは、前記第１の設定と前記第２の設定とを同一の操作画面上で行なうことが可能なユーザインタフェースであることを特徴とする請求項１に記載の装置。
【請求項３】
１つ以上の特定のＦＡＸ番号に係る受信ＦＡＸデータを印刷出力しないよう前記１つ以上の特定のＦＡＸ番号を設定可能な第１の設定と、送信元のＦＡＸ番号が取得できない受信ＦＡＸデータを印刷出力しないよう設定可能な第２の設定とを行なうユーザインタフェースと、
前記第１及び第２の設定に従って、受信ＦＡＸデータの印刷出力を制御する制御手段と、
を備え、
前記制御手段は、
前記送信元のＦＡＸ番号が取得できない受信ＦＡＸデータを印刷出力しない設定が前記第２の設定でされている場合において、受信ＦＡＸデータの送信元のＦＡＸ番号が取得できない及び受信ＦＡＸデータの送信元のＦＡＸ番号が前記第１の設定によって印刷出力しないよう設定された前記１つ以上の特定のＦＡＸ番号に含まれる、の少なくともいずれかに該当するときは、当該受信ＦＡＸデータの印刷出力を実行しないように制御し、
前記送信元のＦＡＸ番号が取得できない受信ＦＡＸデータを印刷出力しない設定が前記第２の設定でされている場合において、受信ＦＡＸデータの送信元のＦＡＸ番号が取得できない及び受信ＦＡＸデータの送信元のＦＡＸ番号が前記第１の設定によって印刷出力しないよう設定された前記１つ以上の特定のＦＡＸ番号に含まれる、のいずれにも該当しないときは、当該受信ＦＡＸデータの印刷出力を実行するように制御し、
前記送信元のＦＡＸ番号が取得できない受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれかに該当するときは、当該受信ＦＡＸデータの印刷出力を実行しないように制御し、
記送信元のＦＡＸ番号が取得できない受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれにも該当しないときは、当該受信ＦＡＸデータの印刷出力を実行するように制御する
ことを特徴とするＦＡＸ機能を備えた装置。
【請求項４】
前記ユーザインタフェースは、前記第１の設定と前記第２の設定とを同一の操作画面上で行なうことが可能なユーザインタフェースであることを特徴とする請求項３に記載の装置。
【請求項５】
１つ以上の特定のＦＡＸ番号に係る受信ＦＡＸデータを印刷出力しないよう前記１つ以上の特定のＦＡＸ番号を設定可能な第１の設定、及びアドレス帳に存在しないＦＡＸ番号に係る受信ＦＡＸデータを印刷出力しないよう設定可能な第２の設定を行なうユーザインタフェースと、
前記第１及び第２の設定に従って、受信ＦＡＸデータの印刷出力を制御する制御手段と、
を備えたＦＡＸ機能を有する装置の制御方法であって、
前記アドレス帳に存在しないＦＡＸ番号に係る受信ＦＡＸデータを印刷出力しない設定が前記第２の設定でされている場合において、受信ＦＡＸデータの送信元のＦＡＸ番号が、前記アドレス帳に存在しないＦＡＸ番号と前記第１の設定によって印刷出力しないよう設定された前記１つ以上の特定のＦＡＸ番号とのうちの少なくともいずれかに該当するときは、当該受信ＦＡＸデータの印刷出力を実行しないように制御し、
前記アドレス帳に存在しないＦＡＸ番号に係る受信ＦＡＸデータを印刷出力しない設定が前記第２の設定でされている場合において、受信ＦＡＸデータの送信元のＦＡＸ番号が、前記アドレス帳に存在しないＦＡＸ番号と前記第１の設定によって印刷出力しないよう設定された前記１つ以上の特定のＦＡＸ番号とのうちのいずれにも該当しないときは、当該受信ＦＡＸデータの印刷出力を実行するように制御するステップと、
前記アドレス帳に存在しないＦＡＸ番号に係る受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれかに該当するときは、当該受信ＦＡＸデータの印刷出力を実行しないように制御し、
前記アドレス帳に存在しないＦＡＸ番号に係る受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれにも該当しないときは、当該受信ＦＡＸデータの印刷出力を実行するように制御するステップと
を備えることを特徴とする制御方法。
【請求項６】
１つ以上の特定のＦＡＸ番号に係る受信ＦＡＸデータを印刷出力しないよう前記１つ以上の特定のＦＡＸ番号を設定可能な第１の設定、及び送信元のＦＡＸ番号が取得できない受信ＦＡＸデータを印刷出力しないよう設定可能な第２の設定を行なうユーザインタフェースと、
前記第１及び第２の設定に従って、受信ＦＡＸデータの印刷出力を制御する制御手段と、
を備えたＦＡＸ機能を有する装置の制御方法であって、
前記送信元のＦＡＸ番号が取得できない受信ＦＡＸデータを印刷出力しない設定が前記第２の設定でされている場合において、受信ＦＡＸデータの送信元のＦＡＸ番号が取得できない及び受信ＦＡＸデータの送信元のＦＡＸ番号が前記第１の設定によって印刷出力しないよう設定された前記１つ以上の特定のＦＡＸ番号に含まれる、の少なくともいずれかに該当するときは、当該受信ＦＡＸデータの印刷出力を実行しないように制御し、
前記送信元のＦＡＸ番号が取得できない受信ＦＡＸデータを印刷出力しない設定が前記第２の設定でされている場合において、受信ＦＡＸデータの送信元のＦＡＸ番号が取得できない及び受信ＦＡＸデータの送信元のＦＡＸ番号が前記第１の設定によって印刷出力しないよう設定された前記１つ以上の特定のＦＡＸ番号に含まれる、のいずれにも該当しないときは、当該受信ＦＡＸデータの印刷出力を実行するように制御するステップと、
前記送信元のＦＡＸ番号が取得できない受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれかに該当するときは、当該受信ＦＡＸデータの印刷出力を実行しないように制御し、
前記送信元のＦＡＸ番号が取得できない受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれにも該当しないときは、当該受信ＦＡＸデータの印刷出力を実行するように制御するステップと
を備えることを特徴とする制御方法。
【請求項７】
コンピュータを、請求項１乃至４のいずれか１項に記載の装置として機能させるためのプログラム。
【手続補正２】
【補正対象書類名】明細書
【補正対象項目名】０００５
【補正方法】変更
【補正の内容】
【０００５】
本発明に係るＦＡＸ機能を備えた装置は、１つ以上の特定のＦＡＸ番号に係る受信ＦＡＸデータを印刷出力しないよう前記１つ以上の特定のＦＡＸ番号を設定可能な第１の設定と、アドレス帳に存在しないＦＡＸ番号に係る受信ＦＡＸデータを印刷出力しないよう設定可能な第２の設定とを行なうユーザインタフェースと、前記第１及び第２の設定に従って、受信ＦＡＸデータの印刷出力を制御する制御手段と、を備え、前記制御手段は、前記アドレス帳に存在しないＦＡＸ番号に係る受信ＦＡＸデータを印刷出力しない設定が前記第２の設定でされている場合において、受信ＦＡＸデータの送信元のＦＡＸ番号が、前記アドレス帳に存在しないＦＡＸ番号と前記第１の設定によって印刷出力しないよう設定された前記１つ以上の特定のＦＡＸ番号とのうちの少なくともいずれかに該当するときは、当該受信ＦＡＸデータの印刷出力を実行しないように制御し、前記アドレス帳に存在しないＦＡＸ番号に係る受信ＦＡＸデータを印刷出力しない設定が前記第２の設定でされている場合において、受信ＦＡＸデータの送信元のＦＡＸ番号が、前記アドレス帳に存在しないＦＡＸ番号と前記第１の設定によって印刷出力しないよう設定された前記１つ以上の特定のＦＡＸ番号とのうちのいずれにも該当しないときは、当該受信ＦＡＸデータの印刷出力を実行するように制御し、前記アドレス帳に存在しないＦＡＸ番号に係る受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれかに該当するときは、当該受信ＦＡＸデータの印刷出力を実行しないように制御し、前記アドレス帳に存在しないＦＡＸ番号に係る受信ＦＡＸデータを印刷出力しない設定が前記第２の設定でされていない場合において、受信ＦＡＸデータの送信元のＦＡＸ番号が、前記第１の設定によって印刷出力しないよう設定された前記１つ以上の特定のＦＡＸ番号のいずれにも該当しないときは、当該受信ＦＡＸデータの印刷出力を実行するように制御することを特徴とする。